(57)【要約】  【課題】  装置本体に装着された交換部品が新品であることを検知する交換部品の不正な再使用防止機構を提供する。  【解決手段】  交換部品２は、その底面に設けた回動軸５ａを中心に前記底面に平行な第一の位置７と、前記底面より垂下した第二の位置と、第一の位置７と対向する第三の位置６との間を回動可能な回転部材５と、第三の位置６において回転部材５を保持する保持部材６aとを備えており、交換部品の底面に対向した位置に開口部４を形成してあり、交換部品２を取り付ける時には、第二の位置にある回転部材５が第一の位置７に移動した後、回転部材５が開口４より垂下して、再度第二の位置に移動した状態となり、交換部品２を取外す時には、交換部品２の移動にあわせて、第三の位置６に移動し、保持部材６ａにより回転部材５が保持されるので、回転部材の位置によって交換部品が新品であるかどうかを検知することができる。【選択図】  図１
2005241034.tif 000002
【特許請求の範囲】
【請求項１】
装置本体に対して着脱自在に設けられる交換部品の不正な再使用を防止するための機構であって、交換部品は、その底面に設けた回動軸を中心に、前記底面に平行な第一の位置と、前記底面より垂下した第二の位置と、前記底面に平行でかつ第一の位置と対向する第三の位置との間を回動可能な小片状の回転部材と、第三の位置において前記回転部材を保持する保持部材とを備えており、装置本体は、交換部品がその底面に沿った方向に移動して着脱されるよう構成してあるとともに、交換部品が装置本体の正規の位置に装着された際に、交換部品の前記回転部材が第二の位置に位置可能となる開口部を有する平面を、交換部品の底面に対向して形成してあり、交換部品を装置本体へ取り付ける時には、交換部品の装置本体への移動にあわせて、第二の位置にある回転部材が第一の位置に移動した後、交換部品の正規の取り付け位置において、前記回転部材が装置本体の平面に設けた前記開口より垂下して、再度第二の位置に移動した状態となり、交換部品を装置本体から取外す時には、第二の位置に位置する回転部材が、交換部品の移動にあわせて、第三の位置に移動して、前記保持部材により回転部材が保持される状態となるようにしたことを特徴とする交換部品の不正な再使用防止機構。
【請求項２】
交換部品の正規の取付け位置において、第二の位置に移動した回転部材と接する装置本体内部に、回転部材によって動作可能なスイッチ機構を備えたことを特徴とする請求項１に記載の交換部品の不正な再使用防止機構。
【請求項３】
交換部品を正規の取付け位置に装着した際に、回転部材を第二の位置に固定するための磁力体を、前記回転部材と装置本体開口部に設けたことを特徴とする請求項１に記載の交換部品の不正な再使用防止機構。
【発明の詳細な説明】
【技術分野】
【０００１】
本発明は、交換部品の不正な再使用防止機構に関し、より詳細には、装置の交換部品が交換された場合に、交換された交換部品が新品であることを検知するための機構に関する。
【背景技術】
【０００２】
空気清浄機等の装置に搭載される濾過フィルタや、装置冷却ファン前後に取り付けるような埃吸引防止用フィルタなど定期的に交換しないと性能が落ちていくような交換が必要な部品の交換において、従来の装置においては、交換が必要な部品と装置本体の間に検出スイッチを設け、交換部品が装置本体に装着されていることを検出した場合、装置動作時間をカウントし、動作時間が一定時間を越えた時にランプ点灯やディスプレイ表示などで交換時期であることを使用者に知らせている（特許文献１参照）。そして、使用者が部品交換のために交換部品を取り外した時点で総時間はリセットされる。また、別の従来の装置においては、動作回数をカウントし、総回数が一定の値に達した時に使用者に報知することが提案されている（特許文献２参照）。このような機構を組み込んでいない場合には、部品交換の時期を取り扱い説明書などに記載することが一般的である。
【特許文献１】特開平１０―３９６９１号公報
【特許文献２】特開平１１―２９０６３０号公報
【発明の開示】
【発明が解決しようとする課題】
【０００３】
しかしながら、前記従来の構成では、交換した部品が新品かどうかを装置本体側では認識することができず、例えば、部品交換時期となった時に、使用者が交換部品を一度取り外し、そのまま再び装着してしまうと、今までカウントしていた時間もしくは回数がリセットされ、最後に装着した時点を基準にして動作時間もしくは動作回数のカウントが再度、新たに開始されることになり、不正な再使用を防止できないという課題を有していた。
【０００４】
本発明は、前記従来課題を解決するもので、一度使用した交換部品が装着されても装着された交換部品が使用済み部品であることを検知し、交換部品の不正な再使用を防止することのできる機構を提供することを目的とする。
【課題を解決するための手段】
【０００５】
前記従来の課題を解決するために、本発明の交換部品の不正な再使用防止機構は、装置本体に対して着脱自在に設けられる交換部品の不正な再使用を防止するための機構であって、交換部品は、その底面に設けた回動軸を中心に、前記底面に平行な第一の位置と、前記底面より垂下した第二の位置と、前記底面に平行でかつ第一の位置と対向する第三の位置との間を回動可能な小片状の回転部材と、第三の位置において前記回転部材を保持する保持部材とを備えており、装置本体は、交換部品がその底面に沿った方向に移動して着脱されるよう構成してあるとともに、交換部品が装置本体の正規の位置に装着された際に、交換部品の前記回転部材が第二の位置に位置可能となる開口部を有する平面を、交換部品の底面に対向して形成してあり、交換部品を装置本体へ取り付ける時には、交換部品の装置本体への移動にあわせて、第二の位置にある回転部材が第一の位置に移動した後、交換部品の正規の取り付け位置において、前記回転部材が装置本体の平面に設けた前記開口より垂下して、再度第二の位置に移動した状態となり、交換部品を装置本体から取外す時には、第二の位置に位置する回転部材が、交換部品の移動にあわせて、第三の位置に移動して、前記保持部材により回転部材が保持される状態となるようにしたことを特徴としたものである。
【０００６】
また、交換部品の正規の取付け位置において、第二の位置に移動した回転部材と接する装置本体内部に、回転部材によって動作可能なスイッチ機構を備えたことを特徴としたものである。
【０００７】
さらに、交換部品を正規の取付け位置に装着した際に、回転部材を第二の位置に固定するための磁力体を、前記回転部材と装置本体開口部に設けたことを特徴とするものである。
【発明の効果】
【０００８】
本発明の交換部品の不正な再使用防止機構によれば、交換部品が使用済み部品か否か装置側で判定することが可能となり、交換部品の不正な再使用を防止することができる。
【発明を実施するための最良の形態】
【０００９】
以下に、本発明の交換部品の不正な再使用防止機構における実施の形態を図面とともに詳細に説明する。
【００１０】
（実施の形態１）
図１は本発明の実施の形態１における交換部品の不正な再使用防止機構においての新品の交換部品取付け前の状態を示す概略縦断面図、図９は本発明の実施の形態における斜視図を示す。これらの図において、１が装置本体を、２が交換部品をそれぞれ示している。
【００１１】
交換部品２は、その底面に設けた回動軸５aを中心に、前記底面に平行な第一の位置７と、前記底面より垂下した第二の位置と、前記底面に平行でかつ第一の位置７と対向する第三の位置６との間を回動可能で通電性のある小片状の回転部材５（図６(a),(b)参照）と、第三の位置６において前記回転部材５を保持する切欠き形状６aを備えており（図６(c)参照）、装置本体１は、交換部品がその底面に沿った方向に移動して着脱されるよう構成してあるとともに、交換部品２が装置本体１の正規の位置に装着された際に、交換部品２の前記回転部材５が第二の位置に位置可能となる開口部４を有する平面を、交換部品２の底面に対向して形成してあり、回転部材５と接する装置本体内に電流伝達部３を設けた。
【００１２】
以上のように構成された装置において、新品部品を取り付けたとき、回転部材５は装置本体１の外壁に当たり、第一の位置７に移動する（図２参照）。回転部材５は開口部４に達したとき、装置本体１の平面に設けた前記開口４より垂下して、電流伝達部３と接して通電し、回転部材５と開口部４それぞれの磁力体８が引き合うことによって通電状態が保持され、通電と同時に総時間をカウントし始める（図３参照）。あらかじめ設定していた総時間に達したとき、使用者に報知する。
【００１３】
使用後に部品を取り外したとき、回転部材５は装置本体１の外壁に当たり、第三の位置６の方向に移動する（図４参照）。６ａは切欠き形状になっているため、回転部材５のつめ形状部９と結合し、回転部材５は固定される（図５参照）。上記構成によれば、交換部品２が新品である場合には、回転部材５と電流伝達部３が接触し、通電する。即ち、部品が新品であることが検知される。また、一度使用した部品を再使用した場合には、回転部材５が切欠き形状部６に固定されるので、通電しない。即ち、部品が新品であることの検知は行われない。そして、電流伝達部３に回転部材５が接触し、部品が新品であると検知された場合にのみ交換時期検出動作が開始されるので、正確に交換時期の検出を行うことができる。この結果、装着された部品が新品であるかどうかを検知することができる。
（実施の形態２）
図７は本発明の実施の形態２における交換部品の不正な再使用防止機構においての新品の交換部品取付け前の状態を示す概略縦断面図、図９は本発明の実施の形態における斜視図を示す。なお、前述した実施の形態と同じ構成については同じ符号を用い、説明を省略する。
【００１４】
実施の形態１の構成と異なるところは電流伝達部３の代わりにスイッチを設けた点である。以上のように構成された装置において、新品部品を取り付けたとき、回転部材５は装置本体１の外壁に当たり、第一の位置７に移動する。回転部材５は開口部４に達したとき、装置本体１の平面に設けた前記開口４より垂下して、回転部材５と開口部４、スイッチ１０それぞれの磁力体８が引き合うことによってスイッチを押した状態が保持され、スイッチが押されるのと同時に総時間をカウントし始める。あらかじめ設定していた総時間に達したとき、使用者に報知する。使用後に部品を取り外したとき、回転部材５は装置本体１の外壁に当たり、第三の位置６の方向に移動する。６ａは切欠き形状になっているため、回転部材５のつめ形状部９と結合し、回転部材５は固定される。上記構成によれば、交換部品２が新品である場合には、磁力体８により回転部材５によってスイッチ１０が確実に押される。即ち、部品が新品であることが検知される。また、一度使用した部品を再使用した場合には、回転部材５が切欠き形状部６に固定されるので、スイッチ１０は押されない。即ち、部品が新品であることの検知は行われない。そして、スイッチ１０が押され、部品が新品であると検知された場合にのみ交換時期検出動作が開始されるので、正確に交換時期の検出を行うことができる。この結果、装着された部品が新品であるかどうかを検知することができる。
【００１５】
（実施の形態３）
図８は本発明の実施の形態３における交換部品の不正な再使用防止機構においての新品部品取付け前の状態を示す概略縦断面図、図９は本発明の実施の形態における斜視図を示す。なお、前述した実施の形態と同じ構成については同じ符号を用い、説明を省略する。
【００１６】
実施の形態１および２の構成と異なるところは電流伝達部３およびスイッチ１０の代わりに測距センサ１１を設けた点である。以上のように構成された装置において、新品部品を取り付けたとき、回転部材５は装置本体１の外壁に当たり、第一の位置７に移動する。回転部材５は開口部４に達したとき、装置本体１の平面に設けた前記開口４より垂下して、回転部材５と開口部４それぞれの磁力体８が引き合うことによって固定される。測距センサ１１は回転部材５との距離を測定し、規定値以下の値が検出された場合、総時間をカウントし始める。あらかじめ設定していた総時間に達したとき、使用者に報知する。使用後に部品を取り外したとき、回転部材５は装置本体１の外壁に当たり、第三の位置６の方向に移動する。６ａは切欠き形状になっているため、回転部材５のつめ形状部９と結合し、回転部材５は固定される。つまり、交換部品２が新品である場合には、測距センサによって検出された値が規定値以下になる。即ち、部品が新品であることが検知される。また、一度使用した部品を再使用した場合には、測距センサによって検出された値が規定値以上になる。即ち、部品が新品であることの検知は行われない。そして、測距センサによって検出された値が規定値以下になった場合にのみ交換時期検出動作が開始されるので、正確に交換時期の検出を行うことができる。この結果、装着された部品が新品であるかどうかを検知することができる。
【産業上の利用可能性】
【００１７】
本発明にかかる交換部品の不正な再使用防止機構は、フィルタやフイルムカセット等への利用が有用であり、特に交換時期について装置自体の動作に直接的な影響を及ぼさない交換部品の新品検知をするのに適している。
【図面の簡単な説明】
【００１８】
【図１】本発明の実施の形態１における交換部品の不正な再使用防止機構においての新品部品取付け前の状態を示す縦断面図
【図２】本発明の実施の形態１における交換部品の不正な再使用防止機構においての新品部品取付け途中の状態を示す縦断面図
【図３】本発明の実施の形態１における交換部品の不正な再使用防止機構においての新品部品装着状態を示す縦断面図
【図４】本発明の実施の形態１における交換部品の不正な再使用防止機構においての新品部品取外し途中の状態を示す縦断面図
【図５】本発明の実施の形態１における交換部品の不正な再使用防止機構においての新品部品取外し後の状態を示す縦断面図
【図６】本発明の実施の形態における回転部材を示す側面図、正面図、及び下面図
【図７】本発明の実施の形態２における交換部品の不正な再使用防止機構においての新品部品装着状態を示す縦断面図
【図８】本発明の実施の形態３における交換部品の不正な再使用防止機構においての新品部品装着状態を示す縦断面図
【図９】本発明の実施の形態における斜視図
【符号の説明】
【００１９】
１  装置本体
２  交換部品
３  電流伝達部
４  開口
５  回転部材
５ａ  回動軸
６  第三の位置
６ａ  切欠き形状
７  第一の位置
８  磁力体
９  つめ形状
１０  スイッチ
１１  測距センサ
【図１】
2005241034.tif 000003
【図２】
2005241034.tif 000004
【図３】
2005241034.tif 000005
【図４】
2005241034.tif 000006
【図５】
2005241034.tif 000007
【図６】
2005241034.tif 000008
【図７】
2005241034.tif 000009
【図８】
2005241034.tif 000010
【図９】
2005241034.tif 000011